(57)【要約】　　　（修正有）【課題】ワークピースに対して選択的にネジまたは他の所望表面を転造するために、工作機械に取り付けられるようにされた改良型接線方向式転造装置を提供すること。【解決手段】本体２１と、本体に枢着されている近位端縁部２３Ｌ、２３Ｒおよび遠位端縁部２４Ｌ、２４Ｒを有する１対のアーム２２Ｌ、２２Ｒとを主に含む工作機械用接線方向式転造装置２０を提供する。このアームは、その遠位端縁部を互いから遠ざかる方向に移動させる。ロール２８Ｌ、２８Ｒが、各アームの遠位端縁部に取り付けられており、ワークピースに作用するようになっている。楔２９は、本体に取り付けられている。アクチュエータ３０は、ロール軸間の間隔を変更するために、本体に取り付けられている。この改良型転造ヘッドはまた、ロールを工作機械装置のアームに取り付けるためのクイックリリース機構を組入れることができる。【選択図】図７
2004122235.tif 000002
【特許請求の範囲】
【請求項１】
　工作機械用接線方向式転造装置であって、
　本体と、
　前記本体に枢着された近位端縁部と遠位端縁部とを有し、付勢されると、前記遠位端縁部を互いから遠ざかる方向に移動させるように、相対する角度方向に移動する１対のアームと、
　各アームの前記遠位端縁部に取り付けられており、前記装置が移動してワークピースを接線方向で係合すると、前記ワークピースに作用するロールと、
　前記ワークピースの長手方向軸と平行な方向に前記本体と相対移動するように前記本体に取り付けられた楔と、
　前記ロールの軸間の間隔を変更するために、前記楔を前記本体に対して選択的に移動させるように前記本体に取り付けられたアクチュエータと、
　を含む接線方向式転造装置。
【請求項２】
　前記楔が斜面を有し、前記装置が、前記アームに取り付けられ、前記楔の斜面を面接触で係合する旋回式シューをさらに含む、請求項１に記載の接線方向式転造装置。
【請求項３】
　前記楔が、前記楔が前記本体に対して移動すると前記ロールが前記ロール軸間のラインに垂直なラインに対して左右対称に移動するように作動的に配置された斜面を有する、請求項１に記載の接線方向式転造装置。
【請求項４】
　タレットの周囲ステーションに取り付けられるように構成された、請求項１に記載の接線方向式転造装置。
【請求項５】
　前記アームとその対応ロールとの間に作動的に配置されたクイックリリース機構をさらに含む、請求項１に記載の接線方向式転造装置。
【請求項６】
　前記本体が開口部を有し、
　前記装置が、
　小径部分と交わる大径部分により規定される開口部を有し、前記本体に移動自在に取り付けられた摺動部と、
　前記小径部分が前記本体穴と位置合わせされる方向に前記摺動部を移動させるように、前記摺動部と前記本体との間で動作するバネと、
　をさらに含み、
　前記ロールが前記本体に取り付けられると前記本体開口部を貫通するようにされて、環状溝を有するピンが、前記ロールから外向きに延出しており、
　前記摺動部が、前記ピンが前記本体開口部を貫通できるように前記大径部分が前記本体開口部と位置合わせされる第１の位置と、前記本体に対する前記ピンの不用意な軸方向移動を防止するように前記小径部分が前記溝に密着する第２の位置との間で移動できるように、構成および配置されており、
　こうして、前記摺動部が前記ピンを係合することにより、前記ロールが前記本体から不用意に分離することを防止できるようになっている、請求項５に記載の接線方向式転造装置。
【請求項７】
　前記ロールが貫通開口部を有し、前記ピンが、前記貫通開口部を摺動自在に貫通するように配置されている、請求項６に記載の工作機械用接線方向式転造装置。
【請求項８】
　前記アクチュエータが、前記本体に取り付けられた回転自在なノブと、前記ノブの回転移動により前記楔が直線状に移動するように、前記ノブと前記楔との間に作動的に配置されたギア・トレインとを含む、請求項１に記載の工作機械用接線方向式転造装置。
【請求項９】
　前記ロールの少なくとも１つが、何ら工具を使用せずに、対応アームに着脱自在に取り付けられている、請求項１に記載の接線方向式転造装置。
【請求項１０】
　各ロールが、ネジ転造ロール、ローレット切りロール、およびバニシ仕上げロールからなる群から選択される、請求項１に記載の接線方向式転造装置。
【請求項１１】
　工作機械装置のアームにロールを取り付けるためのクイックリリース機構であって、
　開口部を設けた本体を含む前記装置と、
　小径部分と交わる大径部分により規定される開口部を有し、前記本体に移動自在に取り付けられる摺動部と、
　前記小径部分が前記本体穴と位置合わせされる方向に前記摺動部を移動させるように、前記摺動部と前記本体との間で動作するバネと、
　を含み、
　前記ロールが前記本体に取り付けられると前記本体開口部を貫通するようにされて、環状溝を有するピンが、前記ロールから外向きに延出しており、
　前記摺動部が、前記ピンが前記本体開口部を貫通できるように前記大径部分が前記本体開口部と位置合わせされる第１の位置と、前記本体に対する前記ピンの不用意な軸方向移動を防止するように前記小径部分が前記溝に密着する第２の位置との間で移動できるように、構成および配置されており、
　こうして、前記摺動部が前記ピンを係合することにより、前記ロールが前記本体から不用意に分離することを防止できるようになっているクイックリリース機構。
【請求項１２】
　前記ロールが貫通開口部を有し、前記ピンが、前記貫通開口部を摺動自在に貫通するように配置されている、請求項１１に記載の工作機械用接線方向式転造装置。
【発明の詳細な説明】
【技術分野】
【０００１】
　本発明は概して、ワークピースの表面を形成する、またはワークピースに仕上げを施す装置に関し、特に、ワークピースにネジを選択的に転造するために工作機械に取り付けられるようにされた改良型接線方向式転造ヘッドに関する。
【背景技術】
【０００２】
　外側にネジが形成されている物体やワークピースは数多くあるが、こうしたネジ部分は通常、物体上に機械加工されたものではなく、一般に、その物体が未加工のうちに、ネジ転造ロールを押付けて形成されるものである。ネジ転造ロールはその加工物に押付けられると、その部分を破砕変形して、所望のネジパターンを形成する。
【０００３】
　ネジ転造用の装置にはさまざまな種類があり、その使用法は、ネジを形成すべき加工物部分の位置および状態によって大きく異なるものである。ネジ転造ロール装置の１種類として、半径方向の給送および挟持による、横断方向からワークピースに接近するものがある。この種の装置は一般に、２つのネジ転造ロールを、ネジを形成すべき加工物部分に隣接して配置し、適したアクチュエータの操作により、これらのロールを、ワークピースを係合するように半径方向内側に移動させるものである。この装置は、場合によって、途中で枢支されている２本のアームを取り付けた本体を有する。各アームは、ローラを具備できる近位端と、ネジ転造ロールを取り付ける遠位端とを有する。アクチュエータが、近位端に具備されたロール間に位置する楔状部材を制御自在に駆動することにより、選択的に、遠位端のネジ転造ロールを相互に向けて半径方向内側に移動させる。この形態における楔は一般に、ワークピースの軸に向けて、およびその軸から離れる方向に移動できるように配向されている。無論、楔が引き込まれた時点で、伸縮バネなどの適した機構が２つのネジ転造ロールを付勢して、これらを互いから離れる方向に移動させる。この場合、楔は一般に、ワークピースの長手方向軸に向けて、およびその長手方向軸から離れる方向に移動できるように配向されている。
【０００４】
　もう１種類の装置は、横断方向ではなく軸方向からワークピースに接近するものである。この装置は、ワークピースに対して所望の軸方向位置に移動すると、ロールを半径方向内側に移動させてワークピースにそのロール形状を付与するように操作される。この装置の一例が、２０００年３月１０日に出願された国際特許出願第ＵＳ００／０６５４５号、および、本願と同一の譲受人に譲渡され、２００１年９月２０日に出願された国際特許出願公開第０１／６８２８８Ａｌ号に図示および記載されている。
【０００５】
　もう１つの種類の装置は、ネジ転造ロールがワークピースに接線方向から接近するものである。この種の装置を代表例が、Ｗｉｌｈｅｌｍ　Ｆｅｔｔｅ　ＧｍｂＨに譲渡された米国特許第５，７８４，９１２号に図示および記載されている。この特許は、工作機械用ネジ転造ロール装置を示しており、この特許に用いられている参照番号を加えながら説明すると、この装置は、２本のアーム（２８、３０）を枢動自在に取り付けた本体（１０）を有する。このアームの遠位端に、ネジ転造ロール（３２、３６）が取り付けられている。調節機構（７２）を用いて、２つのネジ転造ロール間の中心線を挟む間隔を変更する。この装置はまた、もう１つのバネ部分（８２）を有しており、これを用いて、ネジ転造ロール間の中心線を挟む間隔の調節を行う。これは、調節ネジ（７２）が動作している間、中心線を挟む間隔がワークピースの接線方向給送に対してずれるためである。
【０００６】
　さらに別の種類のネジ転造ロールおよびその作動装置は、文献「ネジ転造における問題解決法（Ｔｈｒｅａｄ　Ｒｏｌｌｉｎｇ　Ｓｏｌｕｔｉｏｎｓ）」、Ｃ．Ｊ．Ｗｉｎｔｅｒ　Ｍａｃｈｉｎｅ　Ｔｅｃｈｎｏｌｏｇｉｅｓ，Ｉｎｃ．、ニューヨーク、ローチェスター、（２０００年）に図示および記載されている。
【発明の開示】
【発明が解決しようとする課題】
【０００７】
　上記を鑑み、本発明は、ワークピースに表面処理（たとえば、ネジ付き部分、ローレット切り部分、バニシ仕上げ部分など）を施すための改良型装置、特に、ワークピースに対して選択的にネジまたは他の所望表面を転造するために、工作機械に取り付けられるようにされた改良型接線方向式転造装置を提供することを主な目的とするものである。
【課題を解決するための手段】
【０００８】
　本発明を、開示する実施例の対応部品、部分または表面を参照しながら説明する。以下の説明は、例示のみを目的とするものであり、何ら限定を目的とするものではない。一態様において、本発明は主に、工作機械用の改良型接線方向式転造装置を提供するものである。
【０００９】
　この第１の態様において、この改良型装置（２０）は概して、本体（２１）と、本体に枢着された近位端部分（２３Ｌ、２３Ｒ）と遠位端縁部（２４Ｌ、２４Ｒ）とを有し、途中で枢支されている１対のアーム（２２Ｌ、２２Ｒ）であって、付勢されると、遠位端縁部を互いから遠ざかる方向に駆逐するように、反対の角度方向に移動するアームと、この装置が移動してワークピースに接線方向で係合すると、そのワークピースに表面処理を施すように、各アームの遠位端縁部に取り付けられているロール（たとえば、ネジ転造ロール、ローレット切りロール、バニシ仕上げロールなど）（２８Ｌ、２８Ｒ）と、ワークピースの長手方向軸に平行な方向に本体と相対移動するように本体に取り付けられた楔（２９）と、ロール軸間の間隔を変更するために楔を本体に対して選択的に移動させるように本体に取り付けられたアクチュエータ（３０）とを含む。
【００１０】
　この好適実施例において、楔（２９）は斜面（４６Ｌ、４６Ｒ）を有しており、その楔面と面接触（点接触や線接触ではなく）で係合するように、旋回式シュー（４３Ｌ、４３Ｒ）がアームに取り付けられている。この楔を、二等辺四辺形として構成することができる。楔の斜面を、ロールがロール軸間のラインに垂直なラインに対して左右対称に移動することで、楔が本体に対して移動するように、作動的に配置することができる。この装置は、タレットの周囲ステーションに取り付けるように構成することができるものである。本発明はさらに、少なくともアームの１本とその対応ロールとの間に、クイックリリース機構（３３Ｌ、３３Ｒ）を作動的に配置して含むことができる。好適な形態において、各ロールは、ネジ転造ロール、ローレット切りロールおよびバニシ仕上げロールからなる群から選択される。
【００１１】
　別の態様において、本発明は、工作機械装置のアームにロールを取り付けるための改良型クイックリリース機構（３３Ｌ、３３Ｒ）を提供するものである。この改良型機構は、概して、開口部を有する本体（２１）と、小径開口部と交わる大径開口部を有し、本体に移動自在に取り付けられた摺動部（４８Ｌ、４８Ｒ）と、小径開口部が本体穴と位置合わせされる方向に摺動部を移動させる、摺動部と本体との間で作動するバネ（２６Ｌ、２６Ｒ）とを含み、ロールが本体に取り付けられると本体開口部を貫通するようにされており、環状溝（６０Ｌ、６０Ｒ）を有するピン（３９Ｌ、３９Ｒ）が、ロールから外向きに延出しており、摺動部が、ピンが本体開口部を貫通できるように大径開口部が本体開口部と位置合わせされる第１の位置とピンの軸方向移動を防止するように小径開口部が溝と密着する第２の位置との間で移動できるように、構成および配置されており、こうして、摺動部がピンを係合することにより、ロールが本体から不用意に分離することを防止できるようになっている。
【００１２】
　この好適実施例において、ロールは貫通開口部を有し、ピンは、その貫通開口部を摺動自在に貫通できるように配置されている。さらに、ロールを、何ら工具を用いずに、対応アームに着脱自在に取り付けることができる。
【００１３】
　したがって、本発明の主な目的は、工作機械用の改良型接線方向式転造ヘッドを提供することである。
【００１４】
　もう１つの目的は、転造ヘッドの外包部を実質的に縮小した改良型接線方向式転造ヘッドを提供することである。
【００１５】
　以上のみならず、本発明の他の目的および利点は、明細書全体、図面および添付した請求の範囲から明らかになるであろう。
【実施例】
【００１６】
　最初に、以下に、この詳しい説明も一構成部分とする本明細書全体により、構造上の要素、部分または表面についてさらに記載または説明するにあたり、複数の図面を通じて同じ構造上の要素、部分または表面を識別するために、同様の参照記号を用いていることを明確に理解されたい。特に記載のない限り、図面は、本明細書と併せて読取られるものであり（クロスハッチング、部品配置、割合、程度など）、本発明の記載全体の一部と考えるべきものである。以下の記載で使用する用語「水平」、「垂直」、「左」、「右」、「上方」、「下方」ならびにこれらの形容詞および副詞（たとえば、「水平に」、「右向きに」、「上向きに」など）は、読者から見た具体的な図面の向きにおける例示構造の方向を単に指すものである。同様に、用語「内向き」および「外向き」は概して、適宜、表面の長手方向軸または回転軸に対するその表面の方向を指すものである。
【００１７】
　ここで図面を参照すると、本発明は概して、第１の態様において、工作機械用（図示せず）の改良型接線方向式転造装置を、第２の態様において、工作機械装置のアームにロールを取り付けるためのクイックリリース機構を提供するものである。
【００１８】
　この改良型接線方向式転造装置について、目下のところ好適である形態を、図１〜図６に２０として概略を図示する。
【００１９】
　図１は、改良型転造装置の右正面から見た斜視図である。図１は、本体２１と、本体に枢着された近位端縁部２３Ｌ、２３Ｒおよび遠位端縁部２４Ｌ、２４Ｒをそれぞれ有する左側アーム２２Ｌおよび右側アーム２２Ｒからなる１対のアームとを含むものとして、改良型装置を図示している。アームはバネ（図示せず）により付勢されると、アームの遠位端縁部を互いから遠ざかる方向に駆逐するように、反対の角度方向に移動する。ロール２８Ｌ、２８Ｒは、各アームの遠位端縁部に枢着されており、この装置が移動して接線方向でワークピースを係合すると、ワークピースに作用するようになっている。装置はさらに、概略を２９として図示された楔を含むものとして図示されている。この楔は、装置が移動して接線方向でワークピースを係合すると、係合するワークピースの長手方向軸に平行な方向に本体に対して移動するように、本体に取り付けられている。この装置はまた、概略を３０として図示されたアクチュエータを含む。このアクチュエータは、ロール軸の間の間隔を変更するために、本体に対して楔を選択的に移動させるように本体に取り付けられている。
【００２０】
　図２は、図１と同様の斜視図であるが、カバー３１、３２Ｌおよび３３Ｒを取外してその内部構造を示した図である。
【００２１】
　図２、図３および図５は、アーム２２Ｌ、２２Ｒの遠位端にそれぞれ取り付けられ、概略を３３Ｌおよび３３Ｒとして図示したクイックリリース機構を示す図である。この装置は、ピッチ直径調節ノブ３４と補償器カバー３５とを含む。
【００２２】
　次に図７を参照すると、本体は、背後部分３６と正面部分３８とを分ける横断方向の谷部を有する、特別構造に機械加工された部材として図示されている。左側アーム２２Ｌは、その遠位端縁部に設けられた開口部を貫通し、ネジ転造ロール２８Ｌを取り付けるブシュ４０Ｌ、４１Ｌを支持する駆動ピン３９Ｌと、スプロケット４２Ｌとを含むアセンブリとして図示されている。この左側アーム・アセンブリはまた、ピン４４Ｌにより左側アーム２２Ｌに枢着された下方シュー部材４３Ｌを含むものとして図示されている。このシュー４３Ｌは、面接触（点接触や線接触ではなく）で楔の対向面４６Ｌと係合するようにされた斜面４５Ｌを有することに留意されたい。この左側アーム・アセンブリはまた、クイックリリース・レバー４８Ｌを含む。
【００２３】
　右側アーム・アセンブリは、この左側アーム・アセンブリのほぼ鏡像となっており、同じ部品部分または表面を含んでいるが、参照符号には「Ｌ」ではなく「Ｒ」を末尾に付けて区別している。したがって、右側アーム・アセンブリについての詳細な説明は省略する。
【００２４】
　スプロケット４２Ｌおよび４２Ｒは、ネジ転造ロール２８Ｌと２８Ｒとの間の相対角度位置を維持できるように、環状チェーン（図示せず）により接続されている。
【００２５】
　アクチュエータ３０は、ピッチ直径調節ノブ３４と、噛み合いギア４９、５０を含むギア・トレインとを含む（図７）。ギア５０は、外側にネジ切りされた調節シャフト５１を回転させるように配置されており、これにより、楔を本体に対して選択的に移動させることができる。調節ノブ３４は、手動で回転させられるようになっている。このノブが回転すると、ギア４９、５０を含むギア・トレインが回転し、ネジ山で接続されていることから、この回転動作が、調節シャフト５１の長手軸方向の動作に変換される。楔は、調節シャフト５１の後方端縁部に取り付けられているため、ノブ３４の回転方向に応じて、本体に対して平行移動することができる。円滑に動くことのできる２つのシュー４３Ｌ、４３Ｒはそれぞれ、楔表面４６Ｌ、４６Ｒと連続的に摺動式に面接触する斜面４５Ｌ、４５Ｒを有する。このため、楔が本体後方部分３６に向けて移動すると、途中で枢着されたアーム２２Ｌ、２２Ｒに取り付けられているロール２８Ｌ、２８Ｒは、左側および右側アームそれぞれの旋回軸を中心に相互に引き合う方向に移動させられることになる。反対に、調節ノブ３４が楔を本体後方部分３６から遠ざけて本体の正面部分３８に向けて移動させるように回転すると、バネ（図示せず）がアームの遠位端を付勢して、互いから遠ざかる方向に移動させる。左側および右側アームはそれぞれ、ピン５２Ｌ、５２Ｒの軸を中心に回転するように支持されている。
【００２６】
　従来技術による装置の連続操作を図８〜図１０に図示し、本発明による改良型装置の操作を図１１〜図１３に概略的に図示する。
【００２７】
　図８から図１０では、従来技術による装置が、途中で枢着された左側および右側アーム５３Ｌ、５３Ｒと、その遠位端それぞれに取り付けられたネジ転造ロール５４Ｌ、５４Ｒとを有するものとして図示されている。アームの近位端はそれぞれ、ローラ５５Ｌ、５５Ｒを支持しており、これらのローラが、台形である楔部材５７の斜面５６Ｌ、５６Ｒを係合している。図７〜図９においてつまみネジ５８として概略的に図示したアクチュエータは、図８〜図１０に比較として図示するように、この楔を上方または下方に選択的に移動させるように配置されている。ローラ５５Ｌ、５５Ｒは、楔面と線接触で係合する。さらに、この楔は、ロール間に位置決めされているワークピースＷに向けて、およびそのワークピースＷから遠ざかる方向に移動するように配置されている。したがって、図８から、従来技術による装置では、楔が完全に後退した時点でロール間の中心線を挟む空間が最大となることがわかる。楔が中間位置まで上方に移動すると、図９に示すように、ネジ転造ロール間の中心線を挟む空間は狭まり、楔がさらにワークピースに向けて移動すると、図１０に示すように、ロール間の中心線を挟む空間はさらに狭まる。この一連の操作で、どのようにロールが互いに向けて移動して、その形状をワークピースに付与するかがわかる。図８〜図１０における顕著な特徴は、楔がワークピースに向けて、およびワークピースから遠ざかる方向に、軸方向に移動可能なことである。このような構成では、ネジ転造ロール装置の外包部は比較的大きくなってしまう。
【００２８】
　これと比較できるように、本発明による改良型装置の一連操作を図１１〜図１３に示す。これらの図では、ネジ転造ロールを２８Ｌ、２８Ｒとして、途中で枢着されているアームを２２Ｌ、２２Ｒとして、枢着されているシューをここでも４３Ｌ、４３Ｒとしてそれぞれ図示している。しかし、楔は、図８〜図１０で示したようにワークピースとの間を移動するように配向されているのではなく、ワークピースの長手方向に平行な方向（すなわち、図面内外への方向）に移動するように配置されている。
【００２９】
　したがって、ネジ転造ロール２８Ｌと２８Ｒとの間において中心線を挟む空間は、図１１に示すように楔が後退した時点で最大となり、図１１に示すように、楔が中間位置まで延在すると、図１２に示すように、ネジ転造ロール間の中心線を挟む空間は狭くなる。最後に、図１３に示すように、楔が完全に延在すると、ネジ転造ロール間の中心線を挟む空間はさらに狭まって、ロールがワークピースを押え付け、その形状をワークピースに付与できるようになる。このように、図８〜図１０に図示した従来技術による装置と、図１１〜図１３に図示した本発明による改良型装置との間で顕著な違いは、楔が移動する際の軸である。図７〜図９に示した従来技術による装置において、楔はワークピースの軸に向いた方向およびその軸から遠ざかる方向に移動するが、本発明による改良型装置では、楔は、ワークピースの軸と平行な方向に移動するのである。これにより、この改良型ネジ転造装置の外包部およびパッケージを実質的に縮小することができる。これは、装置を余裕のない空間内で使用しなければならない場合に利点となる特徴である。このように楔を構成し、アームの高さを設定することにより、構造全体のサイズを縮小することができ、縮小された装置であれば、タレット旋盤の面上ではなく、その周囲に取り付け可能となる。これにより、転造時に発生する力を半径方向にタレット内に移動させることができるようになる。これは、曲げモーメントなどを回避できることから、タレットへの好適な力伝達方法である。
【００３０】
　上述したように、本発明のもう１つの態様は、工作機械のアームにロールを迅速に取り付けるための改良型クイックリリース機構を提供することである。このクイックリリース機構は概して、３３Ｌ、３３Ｒとして図示されており、摺動部４８Ｌ、４８Ｒと、バネ２６Ｌ、２６Ｒと、ピン３８Ｌ、３８Ｒとをそれぞれ含む。摺動部は、小径開口部と交わる大径開口部を含むように特別に構成された開口部５９を含む。バネは、摺動部と本体との間で動作して、摺動部を、開口部の小径部分が本体穴と位置合わせされる方向に移動させるものである。ピン３８Ｌ、３８Ｒはそれぞれ、対応ロールから外向きに延出している。例示した形態におけるピンはロールを貫通しているが、別の形態では、ピンをロールの一方の端部から軸方向に延出させてもよい。さらに別の方法として、ピンに本体開口部を貫通させることもできる。各ピンは、６０Ｌ、６０Ｒとして示した環状溝をそれぞれ有するものとして図示されている。摺動部は、開口部の大径部分が本体開口部と位置合わせされてピンが本体開口部を貫通できるようになる第１の位置と、ピンの軸方向移動を防止するように摺動部開口部の小径部分が溝６０Ｌ、６０Ｒと密着する第２の位置との間で移動できるように、構成および配置されている。
【００３１】
　こうした構造により、摺動部開口部の大径部分をピンと位置合わせには、操作者は、バネの不勢力に逆らって摺動部を内側に移動させるだけでよい。この位置までもってくれば、操作者は、ピンを摺動部内に迅速に引き込み、ロールをアームから取外すことができる。新たなロールを挿入するには、操作者は、まずピンをロールおよびブシュ内に挿入しなければならない。開口部の大径部分が本体開口部と位置合わせされる位置まで摺動部を移動させるために、ピンをその中に押し入れる。その後、摺動部を解放すると、本体開口部の小径部分が移動してピンの溝に密着する。ピンは、この位置にくると、対応アームから不用意に後退することはない。
【００３２】
　本発明のどちらの態様も、数多くの変更および修正を加えられるものである。たとえば、添付の図面に本発明によるネジ転造装置を詳しく図示しているが、そのさまざまな部品および構成要素の構造および構成は、所望に応じて容易に変更および修正できるものである。たとえば、ブシュを省くことも、アームの構成を変更または修正することもできる。アクチュエータの構成も所望に応じて変更可能である。図示したように、所望に応じて、ピンをロールに貫通させることも、または、ピン状突起の一部をロールの一方の端部から外向きに延出させることもできる。したがって、本発明による改良型装置およびクイックリリース機構に対して目下好適である形態を図示および記載し、さまざまな変更および修正について説明したが、当業者であれば、請求の範囲内にて限定および差別化されている本発明の趣旨を逸脱することなく、さまざまな変更および修正をさらに付け加えられることが容易に理解できるであろう。
【図面の簡単な説明】
【００３３】
【図１】改良型接線方向式転造装置の第１の形態を示す右正面斜視図である。
【図２】図１と同様の図であるが、カバーを部分的に取外して、その内側を例示した図である。
【図３】図１に示した改良型接線方向式転造装置を異なる向きから示す平面図である。
【図４】図３の線分４−４でおおよそ切取った断面から見た垂直部分断面図である。
【図５】図３の線分５−５でおおよそ切取った断面から見た垂直部分断面図である。
【図６】図１で示した装置の左正面斜視図である。
【図７】改良型接線方向式転造ヘッドを図６とは異なる向きから示す分解斜視図である。
【図８】ロールが全開位置にある、従来型転造装置に見られる楔−ローラアセンブリを示す概略平面図である。
【図９】ロールが中間またはニュートラル位置にある、図８の楔−ローラアセンブリを示す概略平面図である。
【図１０】ロールが全閉位置にある、図８の楔−ローラアセンブリを示す概略平面図である。
【図１１】ロールが全開位置にある、改良型楔−ローラアセンブリを示す概略図である。
【図１２】ロールがニュートラル位置にある、図１１の改良型楔−ローラアセンブリを示す概略平面図である。
【図１３】ロールが全閉位置にある、図１１の改良型楔−ローラアセンブリを示す概略平面図である。
【符号の説明】
【００３４】
　２０　転造装置
　２１　本体
　２２　アーム
　２３　近位端縁部
　２４　遠位端縁部
　２６　バネ
　２８　ロール
　２９　楔
　３０　アクチュエータ
　３１　カバー
　３３　クイックリリース機構
　３４　ピッチ直径調節ノブ
　３５　補償器カバー
　３６　背後部分
　３８　正面部分
　３９　駆動ピン
　４０　ブシュ
　４１　ブシュ
　４２　スプロケット
　４３　シュー部材
　４４　ピン
　４５　斜面
　４６　楔表面
　４８　クイックリリース・レバー
　４９　ギア
　５０　ギア
　５１　シャフト
　５２　ピン
　５３　アーム
　５４　ネジ転造ロール
　５５　ローラ
　５６　斜面
　５７　楔
　５８　アクチュエータ
　５９　開口部
　６０　環状溝
【図１】
2004122235.tif 000003
【図２】
2004122235.tif 000004
【図３】
2004122235.tif 000005
【図４】
2004122235.tif 000006
【図５】
2004122235.tif 000007
【図６】
2004122235.tif 000008
【図７】
2004122235.tif 000009
【図８】
2004122235.tif 000010
【図９】
2004122235.tif 000011
【図１０】
2004122235.tif 000012
【図１１】
2004122235.tif 000013
【図１２】
2004122235.tif 000014
【図１３】
2004122235.tif 000015